(57)【要約】【課題】複数の計測ユニットを意識することなく、ユーザーに意味のある論理ファイルのみを表示してファイル転送を行うことにより、簡単な操作で作業効率よくファイル転送が行える計測システムを実現すること。【解決手段】通信手段を介してコンピュータと計測ユニットが接続された計測システムであって、複数の計測ユニットの測定データファイルの共通ファイルがひとつのファイルとして表示され、そのファイルが選択されることにより全ての計測ユニット間の関連ファイルがコンピュータ側に転送されることを特徴とするもの。  【選択図】                    図１
2010086453.tif 000002
【特許請求の範囲】
【請求項１】
通信手段を介してコンピュータと計測ユニットが接続された計測システムであって、
複数の計測ユニットの測定データファイルの共通ファイルがひとつのファイルとして表示され、そのファイルが選択されることにより全ての計測ユニット間の関連ファイルがコンピュータ側に転送されることを特徴とする計測システム。
【請求項２】
前記計測ユニットの測定データファイルはひとつの論理ファイル単位で表示され、そのファイルが選択されることにより構成する全ファイルがコンピュータ側に転送されることを特徴とする請求項１記載の計測システム。
【請求項３】
前記計測ユニットからコンピュータ側への転送モードは、一括転送モードと個別転送モードが選択できることを特徴とする請求項１または２記載の計測システム。
【発明の詳細な説明】
【技術分野】
【０００１】
本発明は、通信手段を介してコンピュータと計測ユニットが接続された計測システムに関し、詳しくは、ファイル転送の改善に関するものである。
【背景技術】
【０００２】
たとえば車両の走行試験やエンジンの運転試験など、多数の測定点の物理量を同時に測定収集して解析処理するのにあたり、通信手段を介してコンピュータと計測ユニットが接続された計測システムが用いられている。
【０００３】
図７は、従来の計測システムの一例を示すブロック図である。図７において、コンピュータ１０は、イーサネット(登録商標)やＵＳＢなどの通信手段２０を介して複数の計測ユニット３０１〜３０ｎと接続されている。そして複数の計測ユニット３０１〜３０ｎは、同期ケーブル４０を介して接続されている。
【０００４】
コンピュータ１０は、ユーザーのファイル操作入力を受け付けるウィンドウ上のツールバーなどのファイル操作部１１、ファイル操作部１１の指示に基づきファイル情報を表示するファイルリスト表示部１２、通信手段２０との間でファイルリスト情報やファイルの授受を行う通信部１３、ファイル操作部１１の指示に基づき通信部１３を介してファイルリスト情報やファイルの送受信を行うファイル転送部１４、ファイル転送部１４から転送されたファイルを格納するハードディスクなどのファイル記憶部１５などで構成されている。このファイル記憶部１５の内容は、ファイル操作部１１の指示に基づき読み出されてファイルリスト表示部１２に表示される
【０００５】
計測ユニット３０１〜３０ｎは、互換性を有するように同一に構成され、図示しない共通のケースに収納されている。
【０００６】
たとえば計測ユニット３０１は、多数の測定点の物理量を同時に測定する計測部３１１、計測部３１１の測定データをファイル化して格納するハードディスクなどのファイル記憶部３２１、通信手段２０との間でファイルリスト情報やファイルの授受を行う通信部３３１、指定されたファイルリスト情報やファイルの送受信を行うファイル転送部３４１などで構成されている。
【０００７】
なお、計測部３１１には、電圧、電流、温度、圧力、歪み、回転などの測定対象物理量に応じた各種のセンサが接続される。また、各計測ユニット３０１〜３０ｎの計測部３１１〜３１ｎは、同期測定を行うように同期ケーブル４０を介して接続されている。
【０００８】
図８は、図７の計測システムの１回の同期計測により計測ユニット内のファイル記憶部に生成される測定データファイル例を示す説明図である。図７の測定データファイルを識別するための名称は”ＴＥＳＴ２”である。なお図７では省略しているが、同一のディレクトリには、その他の計測結果である”ＴＥＳＴ０”，”ＴＥＳＴ１”などの測定データファイルも存在している。
【０００９】
図８に表示されている各ユニット内に記録された測定データファイルは、全て１回の同期計測結果を記録したものである。この１回の同期計測で記録された全てのファイルの名前の基本として”ＴＥＳＴ２”が用いられる。
【００１０】
複数の計測ユニットは、内蔵ハードディスクの同じパス（たとえば「２００８０４０１」のような日付ディレクトリ名）に各ユニットが分散してファイルを記録する。ファイル名の先頭には”０−”のように「ユニット番号＋ハイフン」が付加されている。
【００１１】
また、長時間の計測を行う場合、ファイルシステム上のファイルサイズ制約から、一つの論理ファイルは、複数のファイルに分割されることになる。そこで、分割ファイルにはたとえば０からの通し番号が付与され、ファイル名の末尾に”＿０”のように「アンダーバー+通し番号」が付加される。たとえば、Ｕｎｉｔ０内の”０−ＴＥＳＴ２＿０．ｄａｔ”と”０−ＴＥＳＴ２＿１．ｄａｔ”は２つのファイルであるが、1つの計測結果を記録しており論理的には1つのデータを構成している
【００１２】
さらに各ユニットにおける計測条件が同一とは限らないため、計測データとして保存されるファイルの数(分割ファイル数)、たとえばＵｎｉｔ０では２、Ｕｎｉｔ１では４、Ｕｎｉｔ２では１のようにユニットごとに異なる場合がある。
【００１３】
これらから、測定データファイル名のフォーマットは、「ユニット番号＋ハイフン＋計測ＩＤ＋アンダーバー＋分割通し番号＋拡張子」になる。
【００１４】
図９は、図７のコンピュータ１０のファイルリスト表示部１２に表示されるファイル転送画面例図である。Ａは接続ユニット選択ウィンドウ、Ｂは計測ユニット３０１〜３０ｎ側のファイルリスト表示部、Ｃはコンピュータ１０側のファイルリスト表示部、Ｄはファイル操作部である。
【００１５】
図１０は、図７におけるファイル転送動作の流れを示すフローチャートである。転送処理が開始されると、図９の接続ユニット選択ウィンドウＡが表示される。ユーザーはこの接続ユニット選択ウィンドウＡから接続対象計測ユニットを選択して接続を行う（ＳＰ１）。図２の例の場合、計測ユニットＵｎｉｔ０，Ｕｎｉｔ１，Ｕｎｉｔ２のそれぞれと接続を行う必要がある。
【００１６】
接続した計測ユニットから、ファイルリスト情報を取得する（ＳＰ２）。これにより、ステップ２で取得したファイルリスト情報が図９のＢのようにファイルリスト表示部に表示される（ＳＰ３）。
【００１７】
ユーザーが、図９のＢのように表示されているファイルリストから所望の転送ファイルを選択した後、図９のファイル操作部Ｄの転送ボタンを押すことにより（ＳＰ４）、ファイル転送が実行される（ＳＰ５）。図８の例の場合、接続ユニットによってそれぞれ以下のファイルを選択する。
Ｕｎｉｔ０:”０−ＴＥＳＴ２＿０．ｄａｔ”，”０−ＴＥＳＴ２＿１．ｄａｔ”
Ｕｎｉｔ１:”１−ＴＥＳＴ２＿０．ｄａｔ”，”１−ＴＥＳＴ２＿１．ｄａｔ”，
”１−ＴＥＳＴ２＿２．ｄａｔ”，”１−ＴＥＳＴ２＿３．ｄａｔ”
Ｕｎｉｔ２：”２−ＴＥＳＴ２＿０．ｄａｔ”
【００１８】
これにより、計測ユニット３０１〜３０ｎ側の選択ファイルがコンピュータ１０へ転送され、コンピュータ１０に転送されたファイルは図９のＣのように表示される。転送ボタンが押されなかった場合にはステップＳＰ６の処理にジャンプする。
【００１９】
通信手段２０と接続中の計測ユニットがユーザーにより切断操作されると（ＳＰ６）、その計測ユニットと通信手段２０との接続が切断される（ＳＰ７）。
【００２０】
一方、切断操作されなかった場合には、所望の測定データファイルの転送が行われるまでステップＳＰ４以降の処理を繰り返して行う。
【００２１】
ある計測ユニットと通信手段２０との接続が切断されると（ＳＰ７）、ユーザーによる他の計測ユニットとの接続操作の有無が判断され（ＳＰ８）、接続操作があった場合にはステップＳＰ１以降の処理を繰り返して実行し、接続操作がなかった場合には一連の測定データファイル転送処理を終了する。
【００２２】
特許文献１には自動的にファイル転送を実行できる測定装置の構成が記載され、特許文献２にはサイズの大きなデータファイルを効率よく送受信する測定システムの構成が記載されている。
【００２３】
【特許文献１】特開２００１−４３４７３号公報
【特許文献２】特開２００５−９２８２９号公報
【発明の開示】
【発明が解決しようとする課題】
【００２４】
しかし、このような従来の構成によれば、コンピュータ１０側から、測定データファイルをダウンロードする計測ユニットを選択し、その計測ユニットの内部の測定データファイルを選択することでファイル転送を実現していたため、接続すべき計測ユニットが多い場合には、計測ユニットの選択と測定データファイルの選択を繰り返して行わなければならず、これらの選択作業が大変煩わしかった。
【００２５】
また、各計測ユニットのファイル記憶部には、膨大な数の測定データファイルが存在していることが多く、必要な測定データファイルのみを抽出することが難しく、特に複数の計測ユニットで同期計測された場合には該当する測定データファイルを探しながらの作業となり、所望の測定データファイルの転送に大変手間がかかっていた。
【００２６】
さらに、長時間の測定データファイルはサイズが大きくなることから、複数ファイルでひとつの論理ファイルを構成する場合がある。このとき、物理ファイル構成を意識してファイル転送を行わなければならないが、ファイル指定の間違いや転送忘れなどが発生しやすく、作業効率が著しく悪かった。
【００２７】
本発明は、これらの問題点に鑑みてなされたものであり、その目的は、複数の計測ユニットを意識することなく、ユーザーに意味のある論理ファイルのみを表示してファイル転送を行うことにより、簡単な操作で作業効率よくファイル転送が行える計測システムを実現することにある。
【課題を解決するための手段】
【００２８】
このような問題を解決するため、請求項１記載の発明は、
通信手段を介してコンピュータと計測ユニットが接続された計測システムであって、
複数の計測ユニットの測定データファイルの共通ファイルがひとつのファイルとして表示され、そのファイルが選択されることにより全ての計測ユニット間の関連ファイルがコンピュータ側に転送されることを特徴とする。
【００２９】
請求項２記載の発明は、請求項１記載の計測システムにおいて、
前記計測ユニットの測定データファイルはひとつの論理ファイル単位で表示され、そのファイルが選択されることにより構成する全ファイルがコンピュータ側に転送されることを特徴とする。
【００３０】
請求項３記載の発明は、請求項１または２記載の計測システムにおいて、
前記計測ユニットからコンピュータ側への転送モードは、一括転送モードと個別転送モードが選択できることを特徴とする。
【発明の効果】
【００３１】
これらにより、簡単な操作で作業効率よくファイル転送が行える。
【発明を実施するための最良の形態】
【００３２】
以下、本発明について図面を参照して説明する。図１は本発明の一実施例を示すブロック図であり、図７と共通する部分には同一の符号を付けている。図１と図７の相違点は、図１では、コンピュータ１０に転送モード選択部１６を設けていることである。この転送モード選択部１６を設けていることにより、コンピュータ１０のファイルリスト表示部１２とファイル転送部１４は、図７とは異なる動作を行う。
【００３３】
図１において、転送モード選択部１６は、ユーザーにより選択される従来と同様の個別転送モードと本発明に基づく一括転送モードを受け付けて選択された転送モードをファイル操作部１１に出力する。
【００３４】
ファイル操作部１１は、転送モード選択部１６で選択された転送モードおよびユーザーによるファイル操作入力に基づき、ファイルリスト表示部１２およびファイル転送部１４に対して、選択された転送モードおよびファイル操作入力の実行に必要な指示を行う。
【００３５】
ファイルリスト表示部１２は、ファイル操作部１１の指示に基づきファイル情報を表示する。ここで、従来と同様の個別転送モードが選択された場合には従来と同様な個別ファイル表示を行うが、一括転送モードが選択された場合には一つの計測結果の論理ファイルを構成する複数の計測ユニットに存在する複数の物理ファイルを一つのファイルとして表示する。
【００３６】
通信部１３は、通信手段２０との間でファイルリスト情報やファイルの授受を行う。
【００３７】
ファイル転送部１４は、ファイル操作部１１の指示に基づき通信部１３を介してファイルリスト情報やファイルの送受信を行う。ここで、従来と同様の個別転送モードが選択された場合には従来と同様な個別ファイル転送を行うが、一括転送モードが選択された場合には一つの計測結果の論理ファイルを構成する複数の計測ユニットに存在する複数の物理ファイルを一括して転送する。
【００３８】
ファイル記憶部１５は、ファイル転送部１４から転送されたファイルを格納する。このファイル記憶部１５の内容は、前述のようにファイル操作部１１の指示に基づいて読み出され、選択された転送モードに応じた所定の表示形態でファイルリスト表示部１２に表示される。
【００３９】
図２は、本発明の特徴である一括転送モードにおけるファイルリスト情報の生成およびファイル転送の説明図である。Ｄは複数の計測ユニットからなる計測システムで１回の同期計測を行った場合の測定結果を記録した測定データファイルの生成例であり、図８と同様のデータ構成になっている。Ｅは同一の計測で記録された複数の物理ファイルを示している。Ｆは一括転送モードで表示するＤの複数の計測ユニットのファイルリスト情報から生成したファイルリスト情報であり、ＧはＥの複数の物理ファイルに相当する同一の計測で生成された一つの論理ファイルである。
【００４０】
Ｆでは、Ｄの計測システムを構成する計測ユニットの複数のファイルリスト情報を、複数の各ファイルリスト情報に共通するパス（たとえば”２００８０４０１”は各計測ユニットで共通）の情報を併合し、計測ユニットの台数に拘らず全体で一つのファイルリスト情報として表示している。
【００４１】
ＧではＥの同一計測による複数の物理ファイルのリスト情報から、ユニット番号およびファイル分割の通し番号の部分を吸収して、計測を識別する名称（たとえば”ＴＥＳＴ２”）を用いて、同一計測による一つの論理ファイルとして表示している。
【００４２】
これらにより、ユーザーによる転送操作が一括転送モードで表示中のＦのファイルリスト情報のＧの論理ファイルに対して行われると、ファイル転送部１４により論理ファイルに対応するＥの全ての計測ユニットの物理ファイルの転送が実行される。
【００４３】
図３は本発明の一括転送モードにおけるファイルリスト表示例図であり、図２の各ファイルを表示対象とした例を示している。Ｈは各計測ユニットのファイルを参照してユニットごとにリスト表示したものであり、Ｉは図２のＥに示す複数の物理ファイルのうちＵｎｉｔ０の物理ファイル情報をリスト表示し、Ｊは図２のＥに示す複数の物理ファイルのうちＵｎｉｔ１の物理ファイル情報をリスト表示している。なお、これらＩおよびＪでは、参照している計測ユニット中の測定データファイルの情報のうち、個々の物理ファイルのファイル名やデータサイズを表示している。
【００４４】
Ｋは各計測ユニットの測定データファイルを参照して本発明に基づく一括転送モードでリスト表示したものであり、Ｌは図２のＧの論理ファイル情報をリスト表示している。なお、Ｌでは、同一計測による一つの論理ファイルについて、論理ファイルが対応する全ての物理ファイルの合計サイズ、論理ファイルが対応する全ての物理ファイルが含まれるユニットのＩＤを表示している。
【００４５】
図４は、図１におけるファイル転送動作の流れを示すフローチャートであり、一括転送モードによるファイル転送を行った場合の動作を図２および図３を例に説明する。転送処理が開始されると、コンピュータ１０は通信手段２０を介して計測システムの各計測ユニットに接続される（ＳＰ１）。そして、各計測ユニットから図２のＤに相当するファイルリスト情報を取得する（ＳＰ２）。
【００４６】
ステップＳＰ２で取得した各計測ユニットファイルリスト情報から生成した一括転送モード用のファイルリスト情報を図３のＫに示したような形式で表示する（ＳＰ３）。なお、生成された一括転送モード用ファイルリスト情報は図２のＧに相当する。
【００４７】
そして、ユーザーによるファイル転送操作の有無を判断し（ＳＰ４）、ファイル転送操作があった場合はステップＳＰ５のファイル転送処理を実行し、ファイル転送操作がなかった場合はステップＳＰ６の処理を実行する。
【００４８】
ステップＳＰ５において、一括転送モード用ファイルリスト情報からユーザーの操作で選択された論理ファイルに対応する実際の各計測ユニットに存在する複数の物理ファイルの転送を一括して行う。たとえば図２のＧの測定データファイルに対する転送操作が行われた場合には、図２のＥの測定データファイルが一括して転送される。
【００４９】
通信手段２０と接続中の計測ユニットがユーザーにより切断操作されると（ＳＰ６）、その計測ユニットと通信手段２０との接続が切断される（ＳＰ７）。
【００５０】
一方、切断操作されなかった場合には、転送対象の全測定データファイルの転送が実行されるまでステップＳＰ４以降の処理を繰り返して行う。
【００５１】
このようにして接続中の全計測ユニットと通信手段２０との接続が切断されることにより（ＳＰ７）、一連の転送処理を終了する。
【００５２】
図５は本発明の計測システムにおける一括転送モードのファイル転送画面例であり、Ｍは転送モード選択部、Ｎは計測ユニット３０１〜３０ｎ側のファイルリスト表示部、Ｏはコンピュータ１０側のファイルリスト表示部、Ｐはファイル操作部である。
【００５３】
転送モード選択部Ｍでは、選択可能な転送モードのうち、一括転送モードＭ１が選択されている。
【００５４】
計測ユニット３０１〜３０ｎ側のファイル表示部Ｎでは、一つの計測で複数の計測ユニットに存在する複数の物理ファイルを、一つの論理ファイルとしてまとめて表示している。たとえば、計測”ＴＥＳＴ２”で記録された各ユニットに存在するファイルは、まとめて”ＴＥＳＴ２．ＤＡＴ”という論理ファイル名で表示されている。また個々の物理ファイルの情報ではなく、論理ファイルに対応する全てファイルの合計サイズおよび含まれるユニットのユニット番号が表示されている。
【００５５】
計測ユニット３０１〜３０ｎ側のファイル表示部Ｎに表示されている論理ファイル”ＴＥＳＴ２．ＤＡＴ”を選択して、ファイル操作部Ｐのファイル転送ボタンを押すと、”ＴＥＳＴ２．ＤＡＴ”に対応する全ての物理ファイルが各ユニット３０１〜３０ｎからコンピュータ１０に転送される。コンピュータ１０側のファイルリスト表示部Ｏではこの転送を行った後のコンピュータ１０側のファイルリストを表示している。
【００５６】
図６は本発明の計測システムにおける個別転送モードのファイル転送画面例であり、Ｍは転送モード選択部、Ｎは計測ユニット３０１〜３０ｎ側のファイルリスト表示部、Ｏはコンピュータ１０側のファイルリスト表示部、Ｐはファイル操作部である。
【００５７】
転送モード選択部Ｍでは、選択可能な転送モードのうち、個別転送モードＭ２が選択されている。
【００５８】
計測ユニット３０１〜３０ｎ側のファイル表示部Ｎでは、複数の計測ユニットのファイルリストが個別に表示され、そのうち表示対象として選択中の一つの１ユニット（たとえばＵｎｉｔ０）に存在する個々の物理ファイルのファイル名、ファイルサイズ、更新日時が表示されている。
【００５９】
計測ユニット３０１〜３０ｎ側のファイル表示部Ｎに表示されている物理ファイルを選択して、ファイル操作部Ｐのファイル転送ボタンを押すと、選択した物理ファイルだけが表示中のユニットからコンピュータ１０側に転送される。コンピュータ１０側のファイルリスト表示部Ｏではこの転送を行った後のコンピュータ１０側のファイルリストを表示している。
【００６０】
なお、上記実施例では、複数の計測ユニットが接続された計測システムにおけるファイル転送機能の例について説明したが、以下のような複数のファイル群でひとつのファイルの意味を持つようなものにも展開が可能である。
【００６１】
１）ソフトウェアやＦＰＧＡ回発ツールであって、プロジェクトファイルのみ表示、一括ファイル操作ができるようなファイル管理ツール
２）画像や動画の編集などにおいて、複数に分割された物理ファイル(２Ｇｂｙｔｅなどのファイル単位に分割されたファイル群、管理情報ファイル)を一つの映像ファイルとしてユーザーに見せ、その映像ファイル単位でファイル操作、ファイル編集が行えるツール
【００６２】
以上説明したように、本発明によれば、複数の計測ユニットの測定データファイルの共通ファイルをひとつのファイルとして表示し、そのファイルを選択することで全ての計測ユニット間の関連ファイルがコンピュータ側に転送されるため、複数計測ユニットのファイルを意識することなく、あたかも１台の計測ユニットと接続されているような簡単な操作が可能となり、作業効率が向上する。
【００６３】
また、計測ユニットの測定データファイルを、ユーザー側に意味のあるひとつの論理ファイル単位で表示し、そのファイルを選択することで構成する全ファイルがコンピュータ側に転送されるため、転送時に物理ファイル構成を意識させることなく、わかりやすい操作でファイル転送を行える。
【００６４】
さらに、転送モードとして、一括転送モードだけでなく個別転送モードも設けたことにより、各計測ユニット個別にもアクセスが可能となり、用途に応じて柔軟なファイル転送が実現できる。
【図面の簡単な説明】
【００６５】
【図１】本発明の一実施例を示すブロック図である。
【図２】本発明の一括転送モードにおけるファイルリスト情報の生成およびファイル転送の説明図である。
【図３】本発明の一括転送モードにおけるファイルリスト表示例図である。
【図４】図１におけるファイル転送動作の流れを示すフローチャートである。
【図５】本発明の計測システムにおける一括転送モードのファイル転送画面例である。
【図６】本発明の計測システムにおける個別転送モードのファイル転送画面例である。
【図７】従来の計測システムの一例を示すブロック図である。
【図８】図７の計測システムで生成される測定データファイル例を示す説明図である。
【図９】図７の計測システムにおけるファイル転送画面例図である。
【図１０】図７におけるファイル転送動作の流れを示すフローチャートである。
【符号の説明】
【００６６】
１０  コンピュータ
１１  ファイル操作部
１２  ファイルリスト表示部
１３  通信部
１４  ファイル転送部
１５  ファイル記憶部
１６  転送モード選択部
２０  通信手段
３０１〜３０ｎ  計測ユニット
３１１  計測部
３２１  ファイル記憶部
３３１  通信部
３４１  ファイル転送部
４０  同期ケーブル
【図１】
2010086453.tif 000003
【図２】
2010086453.tif 000004
【図３】
2010086453.tif 000005
【図４】
2010086453.tif 000006
【図７】
2010086453.tif 000007
【図１０】
2010086453.tif 000008
【図５】
2010086453.tif 000009
【図６】
2010086453.tif 000010
【図８】
2010086453.tif 000011
【図９】
2010086453.tif 000012